(57)【要約】【課題】化粧料皿の交換が可能な化粧料容器において、弾性能に頼ることなく、化粧料皿の容器本体への着脱操作の利便性や保持の確実性を保証し、化粧料皿が容器本体から簡単に脱落したり、容器本体内でガタついたりすることを防止できて、化粧料皿を容器本体内に常に安定的に収納することができる化粧料容器を提供する。【解決手段】容器本体３に設けられ、第１収納部Ｓ１を区画形成するとともに、分断されたヒンジ側端部１８ｂおよび当該ヒンジ側端部から距離を隔てて回転支点部となるフック側端部１８ａが形成され、これら端部間に第１収納部を拡張する方向へ傾動される仕切り壁１８が形成された環状周壁１７と、仕切り壁に設けられ、化粧料皿に係脱自在に係合して当該化粧料皿を第１収納部内に保持する第１係合突起２０とを備えた。【選択図】　　　　　図４
2004057243.tif 000002
【特許請求の範囲】
【請求項１】
収納部が形成された容器本体と、該収納部に着脱自在に収納される化粧料皿と、該容器本体を開閉する蓋体とを有する化粧料容器において、上記容器本体に設けられ、上記収納部を区画形成するとともに、分断された分断部および当該分断部から距離を隔てて回転支点部が形成され、これら分断部と回転支点部との間に該収納部を拡張する方向へ傾動される傾動壁部が形成された周壁と、上記傾動壁部に設けられ、上記化粧料皿に係脱自在に係合して当該化粧料皿を上記収納部内に保持する係合部とを備えたことを特徴とする化粧料容器。
【請求項２】
前記傾動壁部に係脱自在に係合して当該傾動壁部の傾動を阻止するロック手段を備えたことを特徴とする請求項１に記載の化粧料容器。
【請求項３】
前記蓋体はその開閉に従って回転するヒンジを介して前記容器本体に回動自在に連結され、前記ロック手段は上記ヒンジに設けられて、上記蓋体の開閉度合いに応じて前記傾動壁部に係脱自在に係合することを特徴とする請求項２に記載の化粧料容器。
【発明の詳細な説明】
【０００１】
【発明の属する技術分野】
本発明は、化粧料皿の交換が可能な化粧料容器において、弾性能に頼ることなく、化粧料皿の容器本体への着脱操作の利便性や保持の確実性を保証し、化粧料皿が容器本体から簡単に脱落したり、容器本体内でガタついたりすることを防止できて、化粧料皿を容器本体内に常に安定的に収納することができる化粧料容器に関する。
【０００２】
【従来の技術】
従来、化粧用のコンパクトなどの化粧料容器の中には、蓋体で開閉される容器本体の内部に化粧料皿を交換可能に収納できるようにしたものが知られている（実開昭５９−３１３０７号公報）。当該公報に開示されている化粧料容器では、容器本体内に、化粧料皿を取り付け取り外し可能に収納するための皿枠が設けられ、この皿枠には、化粧料皿にその前後から係脱自在に係合して当該化粧料皿を皿枠内に保持する爪片および内方折曲部が形成されていた。
【０００３】
特に内方折曲部は、皿枠に一体的に形成されて爪片側に弾性的に折り曲げ可能な後端壁に形成され、後端壁にはさらに突起が形成されていた。この突起は、蓋体を閉じたときに当該蓋体によって押され、後端壁を爪片側に弾性的に押し倒して内方折曲部を化粧料皿に深く係合させる一方で、蓋体を開いたときには蓋体が離れることによって後端壁の弾性復帰を許容して、内方折曲部を化粧料皿に浅く係合させるようにし、これによって化粧料皿の取り付け取り外しを容易化するようになっていた。そしてこのような構成を採用することにより、化粧料皿の交換を容易に行うことができるだけでなく、蓋体を開いて使用する際に化粧料容器を落としてしまった場合などに、化粧料皿が皿枠から容易に脱落してしまうことも防げるようになっていた。
【０００４】
【発明が解決しようとする課題】
ところで、従来の上記化粧料容器にあっては、弾性能を利用して化粧料皿を皿枠内に保持するようにしていたため、特に蓋体を閉じた状態が常である化粧料容器において、後端壁を常時倒した状態とし弾性変形させたままとすることで、内方折曲部により化粧料皿を皿枠内に保持するようにしていたため、後端壁には常に応力が加わり続けてその弾性能が早期に失われやすく、そのために次のような種々の課題が生じるおそれがあった。
【０００５】
具体的に説明すると、通常は閉じられている蓋体で押されている突起により後端壁を常時弾性的に押し倒した状態とするようにしていたため、長期間の使用の間に後端壁がへたってしまい、その弾性能が劣化したり失われてしまったりするおそれがあった。弾性能が劣化してしまうと、蓋体を開けて使用する際に化粧料容器を取り落としたりした場合に、後端壁は化粧料皿を保持しきれず、化粧料皿が簡単に皿枠から外れて容器本体から脱落してしまい、その後の化粧料の使用ができなくなってしまったりする。また、弾性能が失われると後端壁は振れ動きやすくなり、化粧料皿が皿枠内でガタついてしまって異音を生じたり、このガタつきによって化粧料皿内の化粧料に割れを生じさせてしまうおそれもあった。
【０００６】
本発明は上記従来の課題に鑑みて創案されたものであって、化粧料皿の交換が可能な化粧料容器において、弾性能に頼ることなく、化粧料皿の容器本体への着脱操作の利便性や保持の確実性を保証し、化粧料皿が容器本体から簡単に脱落したり、容器本体内でガタついたりすることを防止できて、化粧料皿を容器本体内に常に安定的に収納することができる化粧料容器を提供することを目的とする。
【０００７】
【課題を解決するための手段】
本発明にかかる化粧料容器は、収納部が形成された容器本体と、該収納部に着脱自在に収納される化粧料皿と、該容器本体を開閉する蓋体とを有する化粧料容器において、上記容器本体に設けられ、上記収納部を区画形成するとともに、分断された分断部および当該分断部から距離を隔てて回転支点部が形成され、これら分断部と回転支点部との間に該収納部を拡張する方向へ傾動される傾動壁部が形成された周壁と、上記傾動壁部に設けられ、上記化粧料皿に係脱自在に係合して当該化粧料皿を上記収納部内に保持する係合部とを備えたことを特徴とする。これにより、弾性能に頼ることなく、化粧料皿の容器本体への着脱操作の利便性や保持の確実性が保証され、化粧料皿が容器本体から簡単に脱落したり、容器本体内でガタついたりすることが防止されて、化粧料皿を容器本体内に常に安定的に収納することが可能となる。
【０００８】
また、前記傾動壁部に係脱自在に係合して当該傾動壁部の傾動を阻止するロック手段を備えたことを特徴とする。これにより、化粧料皿は収納部内に固定状態で保持される。
【０００９】
さらに、前記蓋体はその開閉に従って回転するヒンジを介して前記容器本体に回動自在に連結され、前記ロック手段は上記ヒンジに設けられて、上記蓋体の開閉度合いに応じて前記傾動壁部に係脱自在に係合することを特徴とする。これにより、傾動壁部の傾動やその阻止を、化粧料皿の脱着に伴う蓋体の開閉操作に従って行うことが可能となる。
【００１０】
【発明の実施の形態】
以下に、本発明にかかる化粧料容器の好適な一実施形態を、添付図面を参照して詳細に説明する。本実施形態にかかる化粧料容器１は図１〜図５に示すように、外周壁２内方に収納凹部が形成された皿状の合成樹脂製容器本体３と、環状フランジ部４が外周壁２上端に重ね合わされて収納凹部に装着される合成樹脂製の皿枠５と、化粧料Ｐを収納し、皿枠５に着脱自在に装着される金属製もしくは合成樹脂製の化粧料皿６と、容器本体３の一端にヒンジ７を介して回動自在に連結されて容器本体３を開閉するとともに、容器本体３の他端にフック手段８を介して係脱自在に係合されて当該容器本体３を閉止状態に維持する合成樹脂製の蓋体９とから主に構成される。図示例にあっては、これら容器本体３、皿枠５、化粧料皿６、並びに蓋体９は平面外形輪郭が矩形状に形成されているけれども、多角形状や円形状であってもよい。蓋体９の裏面には、鏡１０が取り付けられている。
【００１１】
フック手段８は、容器本体３に形成された凹所１１内に突設されたフック用突起１２と、蓋体９から垂下されてフック用突起１２に係脱自在に係合されるフック片１３とから構成される。またヒンジ７は、フック手段８とは反対側において容器本体３から一対突設されたヒンジ片１４間に蓋体９から垂下させたヒンジブロック１５が挟み込まれ、これらヒンジブロック１５からヒンジ片１４にわたってヒンジピン１６が挿入されることで構成される。ヒンジ７は、容器本体３を閉じている状態から当該容器本体３に対し起立される状態（図５参照）、すなわち鏡１０を見るのに適した位置、さらには容器本体３をより大きく開くために倒れる状態（図３参照）までにわたって、容器本体３に対し蓋体９を回動自在に連結し、この蓋体９の開閉操作に従ってヒンジブロック１５は回転される。
【００１２】
皿枠５は、上記環状フランジ部４が上端に形成された、容器本体３の周壁として機能する環状周壁１７と、この環状周壁１７で取り囲んだ内部空間を２つに仕切るために、環状周壁１７の内方にフック手段８側からヒンジ７側に向かって配置された仕切り壁１８とから構成され、仕切り壁１８を除く環状周壁１７が超音波接着など各種の固定方法によって容器本体３に固定される。そしてこの皿枠５は、容器本体３の収納凹部に装着されることによって当該容器本体３の底部３ａとともに、仕切り壁１８の一方に（図示例にあっては左側に）化粧料皿６を着脱自在に収納する収納部としての第１収納部Ｓ１を区画形成し、他方に（図示例にあっては右側に）化粧具などを収容する第２収納部Ｓ２を区画形成する。特に本実施形態にあっては、仕切り壁１８は上述したように第１収納部Ｓ１を区画形成するとともに、当該第１収納部Ｓ１を拡張する方向へ傾動される傾動壁部として形成される。
【００１３】
具体的に説明すると、仕切り壁１８はフック側端部１８ａとヒンジ側端部１８ｂとを有し、これら端部１８ａ，１８ｂはともに、環状周壁１７に向かって相当の曲率半径で順次幅広に拡張されて形成される。そして、フック側端部１８ａは環状周壁１７に一体的に連結される一方で、ヒンジ側端部１８ｂは環状周壁１７に対して分断される。ヒンジ側端部１８ｂについては、環状周壁１７、そしてまたその外側となる容器本体３の外周壁２には、容器本体３の底部３ａと環状フランジ部４との間において、これらを一連に貫通させて環状周壁１７内方を容器本体３外方のヒンジブロック１５側へ開放させる形態で貫通部１９が形成され、仕切り壁１８のヒンジ側端部１８ｂはこの貫通部１９に、環状周壁１７や環状フランジ部４と接合されることなくこれらに対して隙間を隔てた状態で挿入され、皿枠５から分離される。また貫通部１９は、ヒンジ側端部１８ｂ周辺から第２収納部Ｓ２に向かって相当の長さで形成され、これによりヒンジ側端部１８ｂは貫通部１９内で第２収納部Ｓ２方向へ移動自在とされる。
【００１４】
要するに、仕切り壁１８は、ヒンジ側端部１８ｂが環状周壁１７から分断された分断部とされ、また分断部から仕切り壁１８の長さだけ距離を隔てるフック側端部１８ａが環状周壁１７に連結され、そしてこのフック側端部１８ａがこれを中心とする回転を許容して分断部を移動可能とする回転支点部とされて、これにより仕切り壁１８は、これらヒンジ側端部１８ｂとフック側端部１８ａとの間で、貫通部１９の形成範囲にわたって第１収納部Ｓ１を拡張する方向に傾動されるようになっている。本実施形態にあっては、相当の弾性変形能を発揮し得る合成樹脂製の皿枠５においてその環状周壁１７とフック側端部１８ａとを一体的に形成しているので、傾動させた仕切り壁１８を、弾性をもって自動的に復原させることができる。また回転支点部となるフック側端部１８ａを拡張形成しているので、この部分に生ずる回転モーメントに対して十分な強度を保証することができる。
【００１５】
このように構成された仕切り壁１８には第１収納部Ｓ１内に突出させて、化粧料皿６に係脱自在に係合して当該化粧料皿６を第１収納部Ｓ１内に保持する係合部としての第１係合突起２０が一体的に形成されるとともに、環状周壁１７にも第１係合突起２０と相対向する位置に、化粧料皿６に係脱自在に係合する第２係合突起２１が一体的に突設される。他方、化粧料皿６の一対の側面６ａには、第１係合突起２０および第２係合突起２１に係脱自在に係合される係合凹部２２が形成される。また第１収納部Ｓ１を形成する容器本体３の底部３ａには、化粧料皿６を第１収納部Ｓ１から離脱させるときに、当該化粧料皿６を押し上げるのに便利な棒状物を差し込むための穴２３が形成される。
【００１６】
さらに本実施形態にかかる化粧料容器１には、仕切り壁１８に係脱自在に係合して当該仕切り壁１８の傾動を許容したり阻止するロック手段が備えられる。このロック手段は、仕切り壁１８と係合可能な位置に設けることができれば、容器本体３、皿枠５、あるいは蓋体９のいずれに設けてもよく、仕切り壁１８に係合することによって第１収納部Ｓ１が拡張されることを阻止するようになっている。本実施形態にあっては、このロック手段は、蓋体９の開閉に従って回転するヒンジ７のヒンジブロック１５に設けられ、蓋体９の開閉度合いに応じて仕切り壁１８に係脱自在に係合する。詳細に説明すると、上記貫通部１９はヒンジブロック１５側に連通されていて、仕切り壁１８のヒンジ側端部１８ｂはヒンジブロック１５に面している。
【００１７】
ヒンジブロック１５には、その回転方向に沿って縦溝２４が形成されるとともに、この縦溝２４の適宜位置から第２収納部Ｓ２側に向かって、すなわち貫通部１９の形成方向に沿って横溝２５が形成される。ヒンジ側端部１８ｂには、これより貫通部１９を貫通してヒンジブロック１５側へ突出され、これら縦溝２４や横溝２５に嵌合される突起２６が形成される。そしてこの突起２６が嵌合される縦溝２４および横溝２５によって、ロック手段が構成されるようになっている。縦溝２４は仕切り壁１８、ひいては容器本体３に対する蓋体９の相対回転を許容しつつ、仕切り壁１８をヒンジブロック１５に係合させてその第２収納部Ｓ２方向への傾動を阻止する一方で、横溝２５はこれと突起２６とが一致する蓋体９の開き位置において、仕切り壁１８をヒンジブロック１５から離脱させてその第２収納部Ｓ２方向への傾動を許容する。
【００１８】
図示例にあっては、縦溝２４は、容器本体３を閉じている状態から当該容器本体３に対し起立される中間位置（図５参照）、すなわち鏡１０を見るのに適した位置、さらには容器本体３をより大きく開くために倒れる終端位置（図３参照）までにわたって形成され、また横溝２５はこの終端位置で縦溝２４と連通されるように形成されている。仕切り壁１８の傾動を許容する横溝２５は、蓋体９の任意の開き位置に形成することができる。上記実施形態にあっては、縦溝２４および横溝２５をヒンジブロック１５に形成し、突起２６を仕切り壁１８に設けたが、これらの配置関係を反対にしてもよいことはもちろんである。
【００１９】
以上説明した本実施形態にかかる化粧料容器１にあっては、蓋体９を閉じている状態では、ヒンジ側端部１８ｂの突起２６がヒンジブロック１５の縦溝２４内に位置されて、仕切り壁１８の傾動が阻止される。これにより、第１係合突起２０の係合凹部２２に対する係合が維持されて、第２係合突起２１とともに化粧料皿６を皿枠５内、ひいては第１収納部Ｓ１内にしっかりと保持した状態が維持される。他方、図５に示すように化粧をする際には通常通り、鏡１０の使用に便利なように容器本体３に対して立つ位置まで蓋体９を回動させれば、これによって露出された化粧料皿６内の化粧料Ｐを使用することができる。この状態でも、突起２６は依然縦溝２４内に位置されて仕切り壁１８の傾動が阻止され、第１係合突起２０および第２係合突起２１により化粧料皿６を容器本体３にしっかりと保持した状態が維持される。
【００２０】
他方、化粧料皿６を交換する際には、まず皿枠５に保持されている化粧料皿６を取り外すことになる。このときには、仕切り壁１８をヒンジブロック１５から離脱可能とするために、図２および図３に示すように突起２６が横溝２５に臨む位置まで、本実施形態では容器本体３を開ききるほぼ１８０°まで蓋体９を回動させる。そして仕切り壁１８を第２収納部Ｓ２側に押圧すると、フック側端部１８ａを回転支点としてヒンジ側端部１８ｂの突起２６が横溝２５内を貫通部１９に沿って第２収納部Ｓ２側へと移動し、すなわち仕切り壁１８はヒンジブロック１５から離脱されて図４に示すように、第１収納部Ｓ１を拡張するように第２収納部Ｓ２側へと傾動される。仕切り壁１８を傾動させると、第１係合突起２０が係合凹部２２から離脱し、これにより第２係合突起２１からの係合凹部２２の離脱も可能となって、容器本体底部３ａの穴２３から棒状物を差し入れることにより、容易に化粧料皿６を第１収納部Ｓ１、ひいては容器本体３から取り外すことができる。
【００２１】
化粧料皿６を装着するときには、ヒンジブロック１５との係合が離脱された状態にある仕切り壁１８を第２収納部Ｓ２側に押圧して傾動させ、この状態で化粧料皿６を第１収納部Ｓ１へ挿入すると、まず第２係合突起２１に係合凹部２２を係合させることができる。その後、仕切り壁１８の押圧を解除すると、フック側端部１８ａの弾性復元により仕切り壁１８が元に戻って、突起２６が横溝２５から縦溝２４に入り込むとともに第１係合突起２０が係合凹部２２に係合し、これにより化粧料皿６を第１収納部Ｓ１内に収納することができる。そしてさらに、蓋体９を閉じる方向に回動させれば、突起２６を介して仕切り壁１８をヒンジブロック１５に係合させてその傾動を阻止することができ、化粧料皿６を容器本体３に固定的にしっかりと保持させることができる。
【００２２】
以上説明したように本実施形態にかかる化粧料容器１にあっては、化粧料皿６が着脱自在に装着される第１収納部Ｓ１を区画形成するとともに、分断されたヒンジ側端部１８ｂおよび当該ヒンジ側端部１８ｂから距離を隔てて回転支点となるフック側端部１８ａが形成され、これら端部１８ａ，１８ｂ間に第１収納部Ｓ１を拡張する方向へ傾動される仕切り壁１８が形成された皿枠５と、仕切り壁１８に設けられ、化粧料皿６の係合凹部２２に係脱自在に係合して当該化粧料皿６を第１収納部Ｓ１に保持する第１係合突起２０とを備えたので、従来のように、喪失され得る弾性能を利用して化粧料皿６を容器本体３に保持するのとは異なり、傾動自在とした仕切り壁１８により弾性能に頼ることなく、化粧料皿６の容器本体３への着脱操作の利便性や保持の確実性を保証することができ、化粧料皿６が容器本体３から簡単に脱落したり、容器本体３内でガタついたりすることを防止して、化粧料皿６を容器本体３内に常に安定的に収納することができる。
【００２３】
本実施形態にあっては、回転支点となるフック側端部１８ａが弾性変形能を有するが、仮に当該端部１８ａが塑性化しても、仕切り壁１８によって化粧料皿６を安定に容器本体３内に保持することができる。また、仕切り壁１８は基本的には、その傾動操作によって第１係合突起２０を係合凹部２２に係脱させて化粧料皿６を保持するものであることから、弾性変形による場合と異なり、仕切り壁１８と化粧料皿６の側面６ａとを密接させることが可能であり、これによってきわめて安定的に化粧料皿６を容器本体３に保持することができる。
【００２４】
また、仕切り壁１８に係脱自在に係合して当該仕切り壁１８の傾動を阻止するロック手段として、仕切り壁１８の突起２６に係脱自在に係合する縦溝２４および横溝２５を備えたので、化粧料皿６を交換する際には、突起２６が横溝２５内で移動して仕切り壁１８を傾動させることができ、簡便な脱着操作を可能とする一方で、蓋体９を閉じていたり化粧操作を行う通常時は、突起２６を縦溝２４に係合させ続け、仕切り壁１８の傾動を阻止して化粧料皿６を容器本体３に固定状態で保持させることができる。さらに、蓋体９の開閉に従って回転するヒンジ７のヒンジブロック１５に縦溝２４および横溝２５を設け、蓋体９の開閉度合いに応じて仕切り壁１８と係脱自在に係合させるようにしたので、仕切り壁１８の傾動やその阻止を、化粧料皿６の脱着に伴う蓋体９の開閉操作に従って自動的に切り替えることができる。
【００２５】
上記実施形態にあっては、容器本体３内に皿枠５を設けたタイプの化粧料容器１を例示して説明したが、皿枠５を使用することなく、容器本体３の外周壁２で第１収納部Ｓ１等を直接区画形成するタイプの化粧料容器であってもよいことはもちろんである。また、傾動壁部として、容器本体３内部を仕切る仕切り壁１８を例示して説明したが、仕切り壁１８に限らず、単一の収納部を有する容器本体の、当該収納部を区画形成する周壁の一部を傾動壁部として構成できることはもちろんである。また上記実施形態にあっては、回転支点部となる仕切り壁１８のフック側端部１８ａを環状周壁１７に一体的に形成する場合を例示したが、このフック側端部１８ａは、ピンなどを介して環状周壁１７に回転自在に連結するようにしてもよい。このようにすれば、フック側端部１８ａにおける弾性反発力を受けることなく、軽いタッチで仕切り壁１８を傾動させることができ、化粧料皿６の脱着操作性を向上することができる。
【００２６】
【発明の効果】
以上要するに、本発明にかかる化粧料容器にあっては、弾性能に頼ることなく、化粧料皿の容器本体への着脱操作の利便性や保持の確実性を保証でき、化粧料皿が容器本体から簡単に脱落したり、容器本体内でガタついたりすることを防止できて、化粧料皿を容器本体内に常に安定的に収納することができる。
【００２７】
また、傾動壁部に係脱自在に係合して当該傾動壁部の傾動を阻止するロック手段を備えたので、化粧料皿を収納部内に固定状態で保持できる。
【００２８】
さらに、蓋体を、その開閉に従って回転するヒンジを介して容器本体に回動自在に連結し、ロック手段をヒンジに設けて、蓋体の開閉度合いに応じて傾動壁部に係脱自在に係合するようにしたので、傾動壁部の傾動やその阻止を、化粧料皿の脱着に伴う蓋体の開閉操作に従って行うことができる。
【図面の簡単な説明】
【図１】本発明にかかる化粧料容器の好適な一実施形態を示す分解斜視図である。
【図２】図１の化粧料容器の蓋体を開ききった状態を示す平面図である。
【図３】図１の化粧料容器の蓋体を開ききった状態におけるヒンジブロック部分を示す、図２中のＡ−Ａ線に沿う斜視拡大断面図である。
【図４】図１の化粧料容器の仕切り壁を傾動させた状態を示す平面図である。
【図５】図１の化粧料容器の蓋体を立てた状態におけるヒンジブロック部分の斜視拡大断面図である。
【符号の説明】
１　化粧料容器　　　　　　　　　　　３　容器本体
６　化粧料皿　　　　　　　　　　　　７　ヒンジ
９　蓋体　　　　　　　　　　　　　　１５　ヒンジブロック
１７　環状周壁　　　　　　　　　　　１８　仕切り壁
１８ａ　フック側端部　　　　　　　　１８ｂ　ヒンジ側端部
２０　第１係合突起　　　　　　　　　２４　縦溝
２５　横溝　　　　　　　　　　　　　２６　突起
Ｓ１　第１収納部
【図１】
2004057243.tif 000003
【図２】
2004057243.tif 000004
【図３】
2004057243.tif 000005
【図４】
2004057243.tif 000006
【図５】
2004057243.tif 000007